(57)【要約】【課題】周辺の導体を加熱することなく、高効率な電力エネルギー供給が可能な空調装置用送風ユニットを提供する。【解決手段】所定の共鳴周波数で交流電力を送電する送電コイル２１を含む送電側共振回路２０と、ファン１２に設けられ、送電コイル２１から非接触で磁界共鳴方式にて交流電力を受電する受電コイル３１、３４を含む受電側共振回路３０と、受電コイル３１によって受電される交流電力によって発熱する電熱部材３３、３５とを設ける。ファン１２は、電熱部材３３、３５にて発生する熱を吸入された空気に伝えるように構成され、受電コイル３１、３４および電熱部材３３、３５はそれぞれ複数設けられ、複数の電熱部材３３、３５はそれぞれファン１２における異なる部位で熱的に接触するように配置される。【選択図】図５
2015033970.tif 000002
【特許請求の範囲】
【請求項１】
電動モータ（１３）と、前記電動モータ（１３）によって回転駆動されるファン（１２）とを備え、前記ファン（１２）は回転することで、空気を吸入してこの吸入された空気を吹き出すように構成されている空調装置用送風ユニットであって、
所定の共鳴周波数で交流電力を送電する送電コイル（２１）を含む送電側共振回路（２０）と、
前記ファン（１２）に設けられ、前記送電コイル（２１）から非接触で磁界共鳴方式にて交流電力を受電する受電コイル（３１、３４）を含む受電側共振回路（３０）と、
前記受電コイル（３１）によって受電される交流電力によって発熱する電熱部材（３３、３５）とを備え、
前記ファン（１２）は、前記電熱部材（３３、３５）にて発生する熱を前記吸入された空気に伝えるように構成され、
前記受電コイル（３１、３４）および前記電熱部材（３３、３５）はそれぞれ複数設けられ、前記複数の電熱部材（３３、３５）はそれぞれ前記ファン（１２）における異なる部位で熱的に接触するように配置されていることを特徴とする空調装置用送風ユニット。
【請求項２】
前記複数の受電コイル（３１、３４）は、それぞれ異なる共鳴周波数で前記送電コイル（２１）から交流電力を受電するように構成され、
前記送電コイル（２１）は、前記複数の受電コイル（３１）のそれぞれに対応した共鳴周波数に切り替えて、交流電力を送電することを特徴とする請求項１に記載の空調装置用送風ユニット。
【請求項３】
前記複数の受電コイル（３１、３４）は、それぞれ異なる共鳴周波数で前記送電コイル（２１）から交流電力を受電するように構成され、
前記送電コイル（２１）は、前記複数の受電コイル（３１、３４）のそれぞれに対応した共鳴周波数を重畳して、交流電力を送電し、
前記複数の受電コイル（３１、３４）のうち、前記送電コイル（２１）から交流電力を受電する受電コイルを切り替える切替手段（３６、３７）を備えることを特徴とする請求項１に記載の空調装置用送風ユニット。
【請求項４】
前記ファン（１２）が内部に設けられ、前記ファン（１２）によって吸入された空気が通過する空気通路を構成するケーシング（１１）を備え、
前記送電側共振回路（２０）の少なくとも一部が前記ケーシング（１１）の内部に配置されていることを特徴とする請求項１ないし３の何れか１つに記載の空調装置用送風ユニット。
【請求項５】
前記受電側共振回路（３０）の少なくとも一部が前記ファン（１２）における吸気口側に設けられていることを特徴とする請求項１ないし４の何れか１つに記載の空調装置用送風ユニット。
【請求項６】
前記電動モータ（１３）を駆動するモータ駆動回路（１４）を備え、
前記モータ駆動回路（１４）は、前記受電コイル（３１）にて受電した電力が供給されることを特徴とする請求項１ないし５の何れか１つに記載の空調装置用送風ユニット。
【請求項７】
前記ファン（１２）の温度を検出する温度検出手段（４１）と、
前記温度検出手段（４１）にて検出した温度に関する情報を送信する送信手段（４２）と、
前記送信手段（４２）から送信される前記温度に関する情報を受信する受信手段（２７）とを備え、
前記温度検出手段（４１）および前記送信手段（４２）は、前記受電コイル（３１）にて受電した電力が供給されることを特徴とする請求項１ないし６の何れか１つに記載の空調装置用送風ユニット。
【請求項８】
前記送電コイル（２１）から送電する交流電力を調整する制御手段（２５）を備え、
前記制御手段（２５）は、前記受信手段（２７）にて受信した前記温度に関する情報に基づいて前記送電コイル（２１）から送電する交流電力を調整することを特徴とする請求項７に記載の空調装置用送風ユニット。
【請求項９】
前記ファン（１２）に設けられ、放電により所定のイオンを発生させるイオン発生器（４２）を備え、
前記イオン発生器（４２）は、前記受電コイル（３１）にて受電した電力が供給されることで作動することを特徴とする請求項１ないし８の何れか１つに記載の空調装置用送風ユニット。
【請求項１０】
前記ファン（１２）に設けられた複数枚のブレード（１２ａ）の角度を調整する角度調整装置（４３）を備え、
前記角度調整装置（４３）は、前記受電コイル（３１）にて受電した電力が供給されることで作動することを特徴とする請求項１ないし９の何れか１つに記載の空調装置用送風ユニット。
【発明の詳細な説明】
【技術分野】
【０００１】
本発明は、空調装置に適用される空調装置用送風ユニットに関するものである。
【背景技術】
【０００２】
ヒートポンプ式空調装置において、暖房運転の開始から温風が供給されるまでの時間の短縮を目的として、誘導加熱コイルに高周波数の交流電流を供給して導電性を有するファンを電磁誘導加熱し、電磁誘導加熱されたファンによって空調風を暖めることが提案されている（特許文献１参照）。
【先行技術文献】
【特許文献】
【０００３】
【特許文献１】特開２０１０−２０３６９９号公報
【発明の概要】
【発明が解決しようとする課題】
【０００４】
しかしながら、上記特許文献１の装置では、導体の誘導加熱（ＩＨ）を利用した熱源を用いているため、効率が良くないことや周辺の導体も加熱してしまうという問題がある。
【０００５】
本発明は上記点に鑑みて、周辺の導体を加熱することなく、高効率な電力エネルギー供給が可能な空調装置用送風ユニットを提供することを目的とする。
【課題を解決するための手段】
【０００６】
上記目的を達成するため、本願の請求項１に記載の発明では、電動モータ（１３）と、前記電動モータ（１３）によって回転駆動されるファン（１２）とを備え、前記ファン（１２）は回転することで、空気を吸入してこの吸入された空気を吹き出すように構成されている空調装置用送風ユニットであって、
所定の共鳴周波数で交流電力を送電する送電コイル（２１）を含む送電側共振回路（２０）と、前記ファン（１２）に設けられ、前記送電コイル（２１）から非接触で磁界共鳴方式にて交流電力を受電する受電コイル（３１、３４）を含む受電側共振回路（３０）と、前記受電コイル（３１）によって受電される交流電力によって発熱する電熱部材（３３、３５）とを備え、
前記ファン（１２）は、前記電熱部材（３３、３５）にて発生する熱を前記吸入された空気に伝えるように構成され、前記受電コイル（３１、３４）および前記電熱部材（３３、３５）はそれぞれ複数設けられ、前記複数の電熱部材（３３、３５）はそれぞれ前記ファン（１２）における異なる部位で熱的に接触するように配置されていることを特徴としている。
【０００７】
このように、非接触にて送電された電力によって電熱部材（３３、３５）を発熱させ、電熱部材（３３、３５）の熱をファン（１２）を介して空気に伝えることで、空調装置の始動直後から空気を加熱することができる。さらに、本発明では、磁界共鳴方式の電磁誘導によって電力を非接触で送電するので、周辺の導体を加熱することなく、高効率な電力エネルギーの供給が可能となる。
【０００８】
また、本発明によれば、複数の電熱部材（３３、３５）をファン（１２）の異なる部位に配置することで、ファン（１２）を複数箇所から加熱することができる。これにより、無線給電により送電された電力を利用してファン（１２）を加熱する際に、熱交換効率を高めることができる。
【０００９】
なお、この欄および特許請求の範囲で記載した各手段の括弧内の符号は、後述する実施形態に記載の具体的手段との対応関係を示すものである。
【図面の簡単な説明】
【００１０】
【図１】本発明の第１実施形態における送風ユニットの構成を示す図である。
【図２】図１に示す送風ユニットのＡ−Ａ断面図である。
【図３】送風ユニットの電気回路構成を示す図である。
【図４】送電コイルと受電コイルとの間の電力効率を示す図である。
【図５】本発明の第２実施形態における送風ユニットの構成を示す図である。
【図６】本発明の第３実施形態における送風ユニットの構成を示す図である。
【図７】本発明の第４実施形態における送風ユニットの構成を示す図である。
【図８】本発明の第５実施形態における送風ユニットの構成を示す図である。
【図９】本発明の第６実施形態における送風ユニットの構成を示す図である。
【図１０】本発明の第７実施形態におけるファンの構成を示す図である。
【図１１】本発明の第７実施形態における送風ユニットの構成を示す図である。
【発明を実施するための形態】
【００１１】
以下、本発明の実施形態について図に基づいて説明する。なお、以下の各実施形態相互において、互いに同一もしくは均等である部分には、説明の簡略化を図るべく、図中、同一符号を付してある。さらに、以下に説明する実施形態には、特許請求の範囲の請求項に記載された発明の前提となる形態および参考となる形態も含まれている。
【００１２】
（第１実施形態）
図１に示すように、本発明の実施形態に係る車載空調装置用の送風ユニット１０は、スクロールケーシング１１、遠心式ファン１２、電動モータ１３、モータ駆動回路１４、送電コイル２１、送電側コンデンサ２２、電源回路２３、受電コイル３１、受電側コンデンサ３２、電熱シート３３（電熱部材）を備えている。
【００１３】
スクロールケーシング１１は、吸気口から吸い込んだ空気を吹出口に導く空気通路を形成している。図１に示す例では、吸気口はスクロールケーシング１１の上側に設けられ、吹出口はスクロールケーシング１１の右側に設けられている。
【００１４】
図２に示すように、スクロールケーシング１１の内部には、空気を送出する遠心式ファン１２が設けられている。遠心式ファン１２としては、ターボファンやシロッコファンを用いることができる。本実施形態の遠心式ファン１２は、アルミニウム等の熱伝導性が高い材料から構成されている。また、遠心式ファン１２は、複数枚のブレード１２ａを備えている。
【００１５】
遠心式ファン１２には、遠心式ファン１２を回転させるための電動モータ１３が設けられており、電動モータ１３の回転軸は遠心式ファン１２に接続されている。また、スクロールケーシング１１には、電動モータ１３を駆動させるためのモータ駆動回路１４が設けられている。
【００１６】
送電コイル２１は、スクロールケーシング１１の内部において、環状に設けられている。図１に示す例では、送電コイル２１は、モータ駆動回路１４の外側に配置されている。送電コイル２１は、送電側コンデンサ２２および電源回路２３と直列的に接続されている。また、受電コイル３１は、遠心式ファン１２の外側に環状に設けられており、受電側コンデンサ３２は、遠心式ファン１２における吸気口側に設けられている。受電コイル３１は、受電側コンデンサ３２および電熱シート３３と直列的に接続されている。
【００１７】
電熱シート３３は、通電によって発熱するように構成され、遠心式ファン１２に熱的に接触するように配置されている。このため、電熱シート３３で発生した熱によって遠心式ファン１２を加熱可能となっている。
【００１８】
次に、本実施形態の電気回路構成を図３に基づいて説明する。図３に示すように、送電コイル２１および送電側コンデンサ２２は、送電側共振回路２０を構成している。また、受電コイル３１および受電側コンデンサ３２は、受電側共振回路３０を構成している。なお、本実施形態の共振回路２０、３０は、コイル２１、３１とコンデンサ２２、３２を直列接続した直列共振回路として構成されている。
【００１９】
これらの共振回路２０、３０は、お互いに近い共振周波数を持つように設定されている。送電側共振回路２０に設けられた電源回路２３は高周波発生源として構成されており、受電側共振回路３０との間で共鳴周波数（本実施形態では１５ＭＨｚ）にて磁界共鳴を発生する様に予め調整されている。これにより、送電コイル２１から受電コイル３１に対して、磁界共鳴方式の無線給電によって電力が送電されることとなる。
【００２０】
図１に示す例では、送電コイル２１はスクロールケーシング１１の底部に設けられ、受電コイル３１および電熱シート３３は遠心式ファン１２の下端に設けられており、送電コイル２１と受電コイル３１は、互いに対向した状態で近接して配置されている。
【００２１】
図４に示すように、送電コイル２１と受電コイル３１の距離が近いほど、送電コイル２１から受電コイル３１への送電時の電力効率が高くなっている。このため、送電コイル２１と受電コイル３１は、必ずしも対向して配置する必要はないが、できるだけ近接して配置することが望ましい。本実施形態では、送電コイル２１と受電コイル３１の距離を３ｍｍ程度としており、このときの電力効率は０．８６となっている。
【００２２】
次に、本実施形態の送風ユニット１０の作動について説明する。まず、送電側共振回路２０では、高周波発生源としての電源回路２３から発生される高周波交流信号によって共振が生じる。これに伴い、送電コイル２１から受電コイル３１に磁界共鳴方式の電磁誘導によって高周波交流電力が送電される。そして、受電側共振回路３０では、受電コイル３１によって受電される高周波交流電力によって共振を生じ、無線給電によって電力が送電される。そして、無線給電により送電されたエネルギーによって、受電側共振回路３０に設けられた電熱シート３３が発熱し、電熱シート３３で発生した熱によって遠心式ファン１２が加熱される。
【００２３】
ここで、電動モータ１３が回転すると、遠心式ファン１２が回転する。これに伴い、吸気口からスクロールケーシング１１の内部に空気が吸い込まれる。このとき、吸い込まれた空気が遠心式ファン１２によって加熱される。この加熱された空気が遠心式ファン１２の回転に伴って、複数枚のブレード１２ａの径方向外周側に吹き出される。遠心式ファン１２から吹き出された空気はスクロールケーシング１１の吹出口から車室内に向かって吹き出される。
【００２４】
以上説明した本実施形態の送風ユニット１０では、スクロールケーシング１１側に設けられた送電コイル２１から遠心式ファン１２側に設けられた受電コイル３１に非接触にて高周波交流電力を送電している。これにより、非接触にて送電された電力によって電熱シート３３を発熱させることができ、電熱シート３３で発生した熱を遠心式ファン１２を介してスクロールケーシング１１に吸い込まれた空気に伝えて加熱し、温風として吹き出すことができる。
【００２５】
これにより、車載空調装置の始動直後から速やかに空気を加熱することができる。このため、車載空調装置の暖房の即効性を確保することができる。さらに、磁界共鳴方式の電磁誘導によって電力を非接触で送電することで、周辺の導体を加熱することなく、高効率な電力エネルギーの供給が可能となる。
【００２６】
また、本実施形態では、送電コイル２１と受電コイル３１との間で磁界共鳴方式の電磁誘導によって無接触で交流電力が送電される。このため、送電コイル２１および受電コイル３１のそれぞれの配置位置の自由度を高めることができる。
【００２７】
また、本実施形態では、送電コイル２１がスクロールケーシング１１の内部に設けられている。このように、送電側共振回路２０の少なくとも一部をスクロールケーシング１１の内部に設けることで、送電コイル２１にて発生した熱によっても、スクロールケーシング１１から吹き出された空気を加熱することができる。
【００２８】
また、本実施形態では、受電側コンデンサ３２が遠心式ファン１２における吸気口側に設けられている。このように、受電側共振回路３０の少なくとも一部を遠心式ファン１２における吸気口側に設けることで、受電側コンデンサ３２にて発生した熱によっても、スクロールケーシング１１から吸い込まれた空気を加熱することができる。
【００２９】
（第２実施形態）
次に、本発明の第２実施形態について説明する。本第２実施形態において、上記第１実施形態と同様の部分は同一の符号を付して説明を省略し、異なる部分についてのみ説明する。
【００３０】
本第２実施形態では、受電コイル３１、３４および電熱シート３３、３５がそれぞれ複数設けられている。これら複数の受電コイル３１、３４および電熱シート３３、３５は、それぞれ遠心式ファン１２における異なる部位に配置されている。第１受電コイル３１および第１電熱シート３３と、第２受電コイル３４および第２電熱シート３５は、並列的に接続されている。
【００３１】
図５に示す例では、第１受電コイル３１とこれに対応する第１電熱シート３３は、遠心式ファン１２の下端に設けられ、第２受電コイル３４とこれに対応する第２電熱シート３５は、遠心式ファン１２の上端に設けられている。つまり、第１受電コイル３１の方が送電コイル２１に近い側に配置され、第２受電コイル３４の方が送電コイル２１に遠い側に配置されている。
【００３２】
第１受電コイル３１および第２受電コイル３４は、異なる共鳴周波数にて磁界共鳴するように設定されている。第１受電コイル３１および第２受電コイル３４の共鳴周波数は、それぞれ任意に設定することができるが、本第２実施形態では、第１受電コイル３１の共鳴周波数は１５ＭＨｚに設定され、第２受電コイル３４の共鳴周波数は１６ＭＨｚに設定されている。
【００３３】
また、本第２実施形態の電源回路２３は、周波数切替回路２４をを備えており、複数の受電コイル３１、３４の共鳴周波数に応じた高周波交流信号を発生させることができるように構成されている。具体的には、電源回路２３は、第１受電コイル３１に応じた１５ＭＨｚの高周波交流信号と、第２受電コイル３４に応じた１６ＭＨｚの高周波交流信号とを発生させることが可能となっている。
【００３４】
制御回路２５は、所定条件に基づいて電源回路２３にて発生する高周波交流信号の周波数を切り替える制御を行う。例えば、所定時間が経過することで周波数を切り替えることができる。また、遠心式ファン１２に温度センサが設けられた構成であれば、温度センサにより検出された温度に基づいて周波数を切り替えることができる。この場合、温度センサによって、遠心式ファン１２における電熱シート３３、３５で加熱される部位の温度を検出することが好ましい。また、遠心式ファン１２の温度変化に伴って送信コイル２１のインピーダンスが変化することを利用して、送信コイル２１のインピーダンスを測定することで遠心式ファン１２の温度を推定することができる。そして、送信コイル２１のインピーダンスに基づいて推定された遠心式ファン１２の温度に基づいて周波数を切り替えることができる。
【００３５】
次に、本第２実施形態の送風ユニット１０の作動について説明する。まず、送電側共振回路２０で、電源回路２３から第１の高周波交流信号（１５ＭＨｚ）を発生させることで共振が生じ、送電コイル２１から第１受電コイル３１に磁界共鳴方式の電磁誘導によって高周波交流電力が送電される。そして、受電側共振回路３０では、第１受電コイル３１によって受電される高周波交流電力によって共振を生じ、無線給電によって電力が送電される。そして、第１受電コイル３１によって受電した電力によって第１電熱シート３３が発熱し、遠心式ファン１２における第１電熱シート３３が設けられた部位が加熱される。
【００３６】
次に、送電側共振回路２０で、電源回路２３から発生する高周波交流信号を第２の高周波交流信号（１６ＭＨｚ）に切り替えることで、送電コイル２１から第２受電コイル３４に磁界共鳴方式の電磁誘導によって高周波交流電力が送電される。そして、受電側共振回路３０では、第２受電コイル３４によって受電される高周波交流電力によって共振を生じ、無線給電によって電力が送電される。そして、第２受電コイル３４によって受電した電力によって第２電熱シート３５が発熱し、遠心式ファン１２における第２電熱シート３５が設けられた部位が加熱される。
【００３７】
以上説明した本第２実施形態によれば、共鳴周波数が異なる複数の受電コイル３１、３４と、これらに対応する複数の電熱シート３３、３５を、遠心式ファン１２における異なる部位に配置することで、遠心式ファン１２を複数箇所から加熱することができる。これにより、無線給電により送電された電力を利用して遠心式ファン１２を加熱する際に、熱交換効率を高めることができる。
【００３８】
（第３実施形態）
次に、本発明の第３実施形態について説明する。本第３実施形態において、上記各実施形態と同様の部分は同一の符号を付して説明を省略し、異なる部分についてのみ説明する。
【００３９】
図６に示すように、本第３実施形態では、電源回路２３は、周波数が異なる複数の高周波交流信号を重畳させる重畳回路２６が設けられている。本第３実施形態では、１５ＭＨｚと１６ＭＨｚの高周波交流信号が重畳されている。
【００４０】
また、遠心式ファン１２には、第１受電コイル３１および第１電熱シート３３を受電側共振回路３０からオン／オフするための第１切替スイッチ３６（切替手段）と、第２受電コイル３４および第２電熱シート３５を受電側共振回路３０からオン／オフするための第２切替スイッチ３７（切替手段）とが設けられている。受電側共振回路３０には制御回路３８が設けられている。
【００４１】
制御回路３８は、所定条件に基づいて切替スイッチ３６、３７の切替制御を行うことができる。この所定条件は、上記第２実施形態の所定条件と同様の内容に設定することができる。
【００４２】
次に、本第３実施形態の送風ユニット１０の作動について説明する。まず、送電側共振回路２０で、電源回路２３から複数の高周波交流信号（１５ＭＨｚと１６Ｍｈｚ）を重畳して発生させることで共振が生じる。このとき、第１切替スイッチ３６をオンにし、第２切替スイッチ３７をオフにすることで、送電コイル２１から第１受電コイル３１に磁界共鳴方式の電磁誘導によって高周波交流電力が送電される。そして、受電側共振回路３０では、第１受電コイル３１によって受電される高周波交流電力によって共振を生じ、無線給電によって電力が送電される。そして、第１受電コイル３１によって受電した電力によって第１電熱シート３３が発熱し、遠心式ファン１２における第１電熱シート３３が設けられた部位が加熱される。
【００４３】
次に、受電側共振回路３０で、第１切替スイッチ３６をオフにし、第２切替スイッチ３７をオンにすることで、送電コイル２１から第２受電コイル３４に磁界共鳴方式の電磁誘導によって高周波交流電力が送電される。そして、受電側共振回路３０では、第２受電コイル３４によって受電される高周波交流電力によって共振を生じ、無線給電によって電力が送電される。そして、第２受電コイル３４によって受電した電力によって第２電熱シート３５が発熱し、遠心式ファン１２における第２電熱シート３５が設けられた部位が加熱される。
【００４４】
以上説明した本第３実施形態によれば、上記第２実施形態と同様、共鳴周波数が異なる複数の受電コイル３１、３４と、これらに対応する複数の電熱シート３３、３５を、遠心式ファン１２における異なる部位に配置することで、遠心式ファン１２を複数箇所から加熱することができる。これにより、無線給電により送電された電力を利用して遠心式ファン１２を加熱する際に、熱交換効率を高めることができる。
【００４５】
（第４実施形態）
次に、本発明の第４実施形態について説明する。本第４実施形態において、上記各実施形態と同様の部分は同一の符号を付して説明を省略し、異なる部分についてのみ説明する。
【００４６】
図７に示すように、本第４実施形態では、モータ駆動回路１４が受電側共振回路３０に設けられている。受電コイル３１によって受電した交流電力は、整流回路３９によって直流電力に変換され、モータ駆動回路１４に供給される。
【００４７】
このような構成によって、無線給電により送電された電力を利用して電動モータ１３を作動させることができる。これにより、無線給電により送電された電力を有効に利用することができ、送風ユニット１０全体の効率を向上させることができる。
【００４８】
（第５実施形態）
次に、本発明の第５実施形態について説明する。本第５実施形態において、上記各実施形態と同様の部分は同一の符号を付して説明を省略し、異なる部分についてのみ説明する。
【００４９】
図８に示すように、本第５実施形態では、送電側共振回路２０には、第１通信回路２７（受信手段）が設けられている。また、受電側共振回路３０には、第２通信回路４０（送信手段）および温度センサ４１（温度検出手段）が設けられている。第１通信回路２７と第２通信回路４０との間で、通信可能に構成されている。受電コイル３１によって受電した交流電力は、整流回路３９によって直流電力に変換され、通信回路４０および温度センサ４１に供給される。
【００５０】
温度センサ４１は、遠心式ファン１２の温度を検出可能となっている。そして、温度センサ４１にて検出された遠心式ファン１２の温度を示す情報は、第２通信回路４０から第１通信回路２７に送信され、制御回路２５に入力される。制御回路２５は、電源回路２３に制御信号を出力し、送電コイル２１から送電される交流電力を調整可能となっており、温度センサ４１にて検出された遠心式ファン１２の温度に基づいて、送電コイル２１から送電される交流電力を調整するように構成されている。例えば、遠心式ファン１２の温度が高い場合には、送電コイル２１から送電される交流電力を小さくすればよい。
【００５１】
このような構成によって、無線給電により送電された電力を利用して遠心式ファン１２の温度を検出することができる。これにより、無線給電により送電された電力を有効に利用することができ、送風ユニット１０全体の効率を向上させることができる。
【００５２】
（第６実施形態）
次に、本発明の第６実施形態について説明する。本第６実施形態において、上記各実施形態と同様の部分は同一の符号を付して説明を省略し、異なる部分についてのみ説明する。
【００５３】
図９に示すように、本第６実施形態では、送電側共振回路２０には、イオン発生器４２が設けられている。イオン発生器４２としては、プラズマ放電により活性酸素を発生させる周知のイオン発生器を用いることができる。
【００５４】
このような構成によって、無線給電により送電された電力を利用してイオン発生器４２を作動させることができる。これにより、無線給電により送電された電力を有効に利用することができ、送風ユニット１０全体の効率を向上させることができる。
【００５５】
（第７実施形態）
次に、本発明の第７実施形態について説明する。本第７実施形態において、上記各実施形態と同様の部分は同一の符号を付して説明を省略し、異なる部分についてのみ説明する。
【００５６】
図１０に示すように、本７実施形態では、遠心式ファン１２の複数枚のブレード１２ａは、径方向外側の端部が外側リング部材１２ｂに接続され、径方向内側の端部が内側リング部材１２ｃに接続されている。内側リング部材１２ｃは、遠心式ファン１２の回転軸を中心に回動可能となっており、外側リング部材１２ｂに対して移動可動となっている。内側リング部材１２ｃが外側リング部材１２ｂに対して移動することで、内側リング部材１２ｃに対するブレード１２ａの角度θが変化するように構成されている。
【００５７】
図１１に示すように、本第７実施形態では、送電側共振回路２０には、角度調整装置４３が設けられている。角度調整装置４３は、内側リング部材１２ｃを回動させるアクチュエータと、アクチュエータを駆動する駆動回路とを含んで構成されている。受電コイル３１によって受電した交流電力は、整流回路３９によって直流電力に変換され、角度調整装置４３に供給される。
【００５８】
このような構成によって、無線給電により送電された電力を利用して角度調整装置４３を作動させることができる。これにより、無線給電により送電された電力を有効に利用することができ、送風ユニット１０全体の効率を向上させることができる。
【００５９】
（他の実施形態）
以上、本発明の実施携帯について説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【００６０】
例えば、上記各実施形態では、本発明の送風ユニットを車載空調装置用の送風ユニット１０として用いた例について説明したが、これに限らず、本発明に係る送風ユニットを車載空調装置以外の他の空調装置（例えば、家庭用空調装置、業務用空調装置）に適用してもよい。
【００６１】
また、上記各実施形態では、本発明の送風ユニット１０に用いられるファンとして遠心式ファン１０を用いる例について説明したが、これに限らず、クロスフローファン、軸流ファン等の各種のファンを用いてもよい。
【００６２】
また、上記各実施形態では、共振回路２０、３０として、コイル２１、３１とコンデンサ２２、３２を直列接続した直列共振回路を用いた例について説明したが、コイル２１、３１とコンデンサ２２、３２を並列接続した並列共振回路を用いてもよい。
【符号の説明】
【００６３】
１０    送風ユニット
１１    スクロールケーシング
１２    遠心式ファン
１３    電動モータ
２０    送電側共振回路
２１    送電コイル
２２    送電側コンデンサ
２３    電源回路
２５    制御回路（制御手段）
２７    通信回路（受信手段）
３０    受電側共振回路
３１    受電コイル（第１受電コイル）
３２    受電側コンデンサ
３３    電熱シート（第１電熱シート）
３４    第２受電コイル
３５    第２電熱シート
３６    第１切替スイッチ（切替手段）
３７    第２切替スイッチ（切替手段）
４２    通信回路（送信手段）
４３    角度調整装置
【図１】
2015033970.tif 000003
【図２】
2015033970.tif 000004
【図３】
2015033970.tif 000005
【図４】
2015033970.tif 000006
【図５】
2015033970.tif 000007
【図６】
2015033970.tif 000008
【図７】
2015033970.tif 000009
【図８】
2015033970.tif 000010
【図９】
2015033970.tif 000011
【図１０】
2015033970.tif 000012
【図１１】
2015033970.tif 000013